(57)【要約】      （修正有）【課題】  フレキシブル基板と金属板とを貼り合わせた状態で高湿高温貯蔵試験でも剥離を防止することができるフレキシブル基板の接合構造を提供する。【解決手段】  フラットな形状のフレキシブル基板２にこのフレキシブル基板２とぼほ同じ形状の金属板３が貼着され、フレキシブル基板２の一方側から２本のケーブル４、４が延設されたフレキシブル基板２の接合構造において、金属板３における２本のケーブル４が延設されている箇所に、フレキシブル基板２の一部２ａ、２ｂが露出するように切欠部３ａ、３ｂをそれぞれ設け、これらの切欠部３ａ、３ｂに接着剤５を塗布して剥離防止対策を施した。【選択図】  図１
2005327831.tif 000002
【特許請求の範囲】
【請求項１】
光ピックアップの受光素子がほぼ中心部分に取り付けられるフレキシブル基板にこのフレキシブル基板とぼほ同じ形状の金属板が貼着され、前記フレキシブル基板の一方側から２本のケーブルが延設されたフレキシブル基板の接合構造において、前記金属板における前記２本のケーブルが延設されている箇所に、前記フレキシブル基板の一部が露出するように切欠部をそれぞれ設け、これらの切欠部に接着剤を塗布して剥離防止対策を施したことを特徴とするフレキシブル基板の接合構造。
【請求項２】
フラットな形状のフレキシブル基板にこのフレキシブル基板とほぼ同じ形状の金属板が貼着され、前記フレキシブル基板の一方側から２本のケーブルが延設されたフレキシブル基板の接合構造において、前記金属板における前記２本のケーブルが延設されている箇所に、前記フレキシブル基板の一部が露出するように切欠部をそれぞれ設け、これらの切欠部に接着剤を塗布して剥離防止対策を施したことを特徴とするフレキシブル基板の接合構造。
【発明の詳細な説明】
【技術分野】
【０００１】
本発明は、フラットな形状のフレキシブル基板にこのフレキシブル基板とほぼ同じ形状の金属板が貼着され、前記フレキシブル基板の一方側から２本のケーブルが延設されたフレキシブル基板の接合構造に関するものである。
【背景技術】
【０００２】
従来、この種の接合構造は、図３に示すように、フラットな形状のフレキシブル基板１０１にこのフレキシブル基板１０１とほぼ同じ形状の金属板１０２が貼着されていて、このフレキシブル基板の一方側から２本のケーブル１０３、１０３が延設されていて、この２本のケーブル１０３、１０３は図にて下側に曲がるようになされていた。ところが、高湿高温貯蔵試験でフレキシブル基板と金属板１０２との貼り合わせ部分Ａ、Ｂから剥離してしまうという問題があった。
【０００３】
第１の従来技術を図４（ａ）（ｂ）に示す。この従来技術の光ピックアップ装置は、図４（ａ）（ｂ）に示すように、信号記録媒体ＣＤの記録面に沿って移動する光ピックアップ装置１０１にフレキシブル基板２２０を設ける。フレキシブル基板２２０を光ピックアップ装置１０１の電気部品に接続部２２１と、光ピックアップ装置１０１から離間して延在する延在部２２３とから構成する。接着部２２２と延在部２２３との境界部２２４両側に接着部２２２を構成する。（例えば、特許文献１参照）。
【０００４】
ところが、これにおいては剥がれやすいという欠点があった。
【０００５】
第２の従来技術を図５（ａ）（ｂ）に示す。この従来技術のピックアップの伝送ケーブル接合装置は、図５（ａ）（ｂ）に示すように、コネクタ３０７が取付けられる固定基板３０４に設けられた第１のランド３０９ａ、３０９ｂと、該第１のランド３０９ａ，３０９ｂに対応してフレキシブル基板３１０に設けられた第２のランド３１３ａ，３１３ｂとを備え、前記コネクタ３０７にフレキシブル基板３１０を嵌着させた状態で第１のランド３０９ａ，３０９と第２のランド３１３ａ，３１３ｂとを半田により結合することによりフレキシブル基板３１０の接合部３１０ａ近歯傍でコネクタ３０７との一体化を図っている。（例えば、特許文献２参照）。
【０００６】
ところが、これは半田を使っているものであり、半田付けするためのスペースをとってしまい、半田用のランドが必要であり、高コストになるという問題があった。
【特許文献１】特開平５−４７０１８号公報
【特許文献２】実開平７−１０８１８号公報
【発明の開示】
【発明が解決しようとする課題】
【０００７】
本発明は、上記従来の問題に鑑みてなされたものであって、フレキシブル基板と金属板とを貼り合わせた状態で高湿高温貯蔵試験での剥離を防止することができるフレキシブル基板の接合構造を提供することを目的としている。
【課題を解決するための手段】
【０００８】
本発明は、上記課題を解決するために提案されたものであって、請求項１に記載の発明は、光ピックアップの受光素子がほぼ中心部分に取り付けられるフレキシブル基板にこのフレキシブル基板とぼほ同じ形状の金属板が貼着され、前記フレキシブル基板の一方側から２本のケーブルが延設されたフレキシブル基板の接合構造において、前記金属板における前記２本のケーブルが延設されている箇所に、前記フレキシブル基板の一部が露出するように切欠部をそれぞれ設け、これらの切欠部に接着剤を塗布して剥離防止対策を施したことを特徴としている。
【０００９】
請求項２に記載の発明は、フラットな形状のフレキシブル基板にこのフレキシブル基板とほぼ同じ形状の金属板が貼着され、前記フレキシブル基板の一方側から２本のケーブルが延設されたフレキシブル基板の接合構造において、前記金属板における前記２本のケーブルが延設されている箇所に、前記フレキシブル基板の一部が露出するように切欠部をそれぞれ設け、これらの切欠部に接着剤を塗布して剥離防止対策を施したことを特徴としている。
【発明の効果】
【００１０】
請求項１に記載の発明によれば、金属板における２本のケーブルが延設されている箇所に、フレキシブル基板の一部が露出するように設けられた切欠部に接着剤を塗布することにより、フレキシブル基板と金属板とを貼り合わせた状態で高湿高温貯蔵試験でも剥離することがない。
【００１１】
請求項２に記載の発明によれば、金属板における２本のケーブルが延設されている箇所に、フレキシブル基板の一部が露出するように設けられた切欠部に接着剤を塗布することにより、フレキシブル基板と金属板とを貼り合わせた状態で高湿高温貯蔵試験でも剥離することがない。
【発明を実施するための最良の形態】
【００１２】
以下、本発明に係るフレキシブル基板の接合構造の実施の形態について、図を参照しつつ説明する。
【００１３】
図１は本発明のフレキシブル基板の接合構造の実施形態を示し、（ａ）はその平面図、（ｂ）はその縦向きにした正面図である。
【００１４】
本実施形態のフレキシブル基板の接合構造は、光ピックアップの受光素子１がほぼ中心部に取り付けられたフレキシブル基板２にほぼ同じ形状のＳＵＳからなる金属板３が貼着されている。更に、フレキシブル基板２の一方側から２本のケーブル４、４が下向きに湾曲した状態で延設されている。
【００１５】
更に、金属板３における２本のケーブル４、４が延設されている湾曲方向と逆の位置に、フレキシブル基板２の一部２ａ、２ｂが露出するように切欠部３ａ、３ｂが設けられている。この切欠部３ａ、３ｂの位置には、接着剤５が塗布されるようになっている。
【００１６】
したがって、本実施形態によれば、金属板３における２本のケーブル４、４が延設されている箇所に、フレキシブル基板２の一部２ａ、２ｂが露出するように設けられた切欠部３ａ、３ｂに接着剤５を塗布することにより、フレキシブル基板２と金属板３とを貼り合わせた状態で高湿高温貯蔵試験でも剥離することがない。
【００１７】
図２は同接合構造のフレキシブル基板を光ピックアップ装置の本体部に取り付けた状態の概略正面図である。
【００１８】
本実施形態におけるフレキシブル基板２は、図２に示すように、光ピックアップ装置の本体部６に接着剤５、５によって接着されるものである。このフレキシブル基板２は治具７によって保持されて接着される。フレキシブル基板２の取り付けられる箇所は、光ピックアップ装置の本体部６における受光素子１が位置する箇所である。フレキシブル基板２を接着する接着剤５、５はＵＶ照射して固められるようになっている。
【００１９】
更に、２本のケーブル４、４は他のフレキシブル基板２Ａに接続され、この他のフレキシブル基板２Ａはコネクタ８に接続されたフレキシブルフラットケーブル９を介して他のコネクタ１０によって基板１１に接続されるようになっている。
【図面の簡単な説明】
【００２０】
【図１】本発明のフレキシブル基板の接合構造の実施形態を示し、（ａ）はその平面図、（ｂ）はその縦向きにした正面図である。
【図２】同接合構造のフレキシブル基板を光ピックアップ装置の本体部に取り付けた状態の概略正面図である。
【図３】従来のフレキシブル基板の接合構造を示す平面図である。
【図４】従来の光ピックアップ装置を示し、（ａ）はその側面図、（ｂ）はその分解側面図である。
【図５】従来のピックアップの伝送ケーブル接合装置を示し、（ａ）はその展開正面図、（ｂ）はその接合状態を示す正面図である。
【符号の説明】
【００２１】
１          光ピックアップ
２          フレキシブル基板
３          金属板
３ａ、３ｂ  切欠部
４          ケーブル
５          接着剤
６          本体部
７          治具
８          コネクタ
９          フレキシブルフラットケーブル
１０        コネクタ
１１        基板
【図１】
2005327831.tif 000003
【図２】
2005327831.tif 000004
【図３】
2005327831.tif 000005
【図４】
2005327831.tif 000006
【図５】
2005327831.tif 000007